(57)【要約】  本発明は、単一のストリームまたは種々のパターンの多数のストリームで流体を配送する手持ちの噴霧器に関し、コントローラ、延長バー、および多目的の使用のための噴霧先端具を備える。コントローラは、加圧された流体源からの出口への流れを制御するために縦型遮断弁を組み込んでおり、縦型遮断弁はユーザーが手動で調節する押しボタンによる即時の流体供給を得ることを可能にしている。弁内において可動のステムアセンブリがシートに係合され、圧縮ばねおよび入口流体からの圧力により閉鎖位置に付勢されている。圧縮ばねを支持する底部カバーはシールのためのＯ−リングと共にハウジング本体に固定されており、そして、頂部カバーがステムアセンブリのシールと適切な移動を得るためのＯ−リングをロックすべく調節可能に配置されている。
2007513758.tif 000002
【特許請求の範囲】
【請求項１】
流体の流れを調整し、且つ、縦型遮断弁を組み込んだ細長い本体と、加圧された流体源への連通のための連結器を含む入口と、迅速な連結のために複数の寸法の直径が配列されたアダプターを有する開口を含む出口と、前記入口から前記縦型遮断弁を介して前記出口までの流体の流れのために内部的に連繋するチャンネルと、手での握持のための細い本体およびホルダに置くための前記本体の輪郭を有する外面とを有しているコントローラ、
流体を離れた領域に運び、且つ、チューブ形状に形成された本体と、前記コントローラの出口への迅速な連結のために複数の寸法の直径が配列されたアダプターを含む入口と、迅速な連結のために複数の寸法の直径が配列されたアダプターを含む出口と、迅速な連結のためにシールと摩擦を与えるべく前記入口および前記出口のＯ−リングと、前記入口から前記出口までの流体の流れのために連繋するチャンネルと、前記出口は単一のストリームの流体を噴出し、ホルダに置くための前記本体の外面輪郭を有する延長バー、および
流体の空気中への分配を遂行し、且つ、種々の角度に湾曲された本体と、前記延長バーの前記出口への迅速な連結のために複数の寸法の直径が配列されたアダプターを含む入口と、流体を放出しＯ−リングを配置するための内部ベースを有する出口開口と、流体の微細な多数のストリームのための種々の大きさ且つパターンの小孔を包含する前記出口開口のためのカバープレートと、前記出口開口に配置され前記カバープレートをシールするＯ−リングと、前記入口が前記延長バーの前記出口に整列されない事態に対する緩衝を前記入口で提供するチャンバと、前記入口から前記チャンバを介して前記出口まで内部的に連繋するチャンネルと、を有する噴霧先端具
を備えることを特徴とする縦型遮断弁を有する多目的手持ち噴霧器。
【請求項２】
前記縦型遮断弁は、
加圧された流体の入力のための下側チャンバおよび解放流体の出力のための上側チャンバを含む本体と、前記本体内で前記上側チャンバの上方に位置する開口と、ステムアセンブリが通過するよう前記開口から前記上側チャンバまで連繋するチャンネルと、前記開口内で前記チャンネルをシールするＯ−リングと、前記Ｏ−リングに圧力を加える前記開口のための頂部カバーと、シールを支援し前記開口内で前記Ｏ−リングを配置するための中空部と、前記下側チャンバでコントローラの前記入口に導く入口開口と、前記上側チャンバでコントローラの前記出口に導く出口開口と、前記上側チャンバおよび下側チャンバの間で前記本体に固設されたシートと、前記シートをシールするＯ−リングと、前記下側チャンバを確保するための底部カバーと、前記底部カバーをシールするＯ−リングと、前記底部カバーに配置され前記ステムアセンブリを閉位置に付勢する圧縮ばねと、を有するハウジング、
前記下側チャンバから前記上側チャンバへの流体の流れを制御するための手動のステムアセンブリ、および
前記ステムアセンブリの上側部材を配置するための穴を含む本体と、前記本体を前記ステムアセンブリの上側部材に固定するロックナットと、前記本体内で前記ロックナットを配置するための開口と、前記開口を覆う仕上げプラグと、前記開口において前記仕上げプラグを配置するための溝とを有する押しボタンアセンブリ、
を備えることを特徴とする請求項１に記載の縦型遮断弁を有する多目的手持ち噴霧器。
【請求項３】
前記ステムアセンブリは、
中央に丸い穴を有し、弾性材料から作られたＯ−リング、
手動操作のために前記コントローラの外側に延出された本体と、前記押しボタンアセンブリに前記ロックナットを配置するために一端部に配置されたネジと、前記押しボタンアセンブリの前記本体を配置するための肩部と、良好なシール性を支援する滑らかな表面を備えて、長く円筒状で細身の外形を形成し、前記押しボタンを正しく保持すべく前記肩部よりも大きな厚みを有するシャフトと、他端部に位置され、前記シートの大きな開口に嵌り込むべく配置するための円板を形成するフランジと、前記Ｏ−リングを配置するための前記フランジにおける溝と、前記フランジの一端部から前記シャフトに向けて内ネジが形成されたファスナ用の開口と、を有する上側部材、
入口流体圧力を前記Ｏ−リングに分配して吸収するための円板形状を形成し、一側面に前記Ｏ−リングを配置するための溝を有する本体と、前記圧縮ばねを配置するための他側面の中央における突出部と、前記突出部の中央から前記本体の他側面までファスナが通過するための中心における開口と、を有するベースプレート、
前記上側部材と前記ベースプレートとの間に配置された前記Ｏ−リングを固定し、前記ハウジング内での移動のために前記ステムアセンブリの単一片を形成するファスナ、
を備えることを特徴とする請求項２に記載の縦型遮断弁を有する多目的手持ち噴霧器。
【請求項４】
前記縦型遮断弁の内部構造を前記コントローラの本体内に構築することによって、前記ハウジングの本体は前記コントローラの本体に注入されて、単一構成物を形成していることを特徴とする請求項２に記載の縦型遮断弁を有する多目的手持ち噴霧器。
【請求項５】
前記シートは、
前記ステムアセンブリのＯ−リングとの良好な係合のために丸味を帯びた滑らかな表面に形成されたリップ、
前記ステムアセンブリおよび解放された流体の通路のために、中央で整列された二つの大きさの直径を有する開口、
工具用に、第１の小さい直径の前記開口の多角形の形状、
前記ステムアセンブリの上側部材を配置するために、第２の大きい直径の前記開口の円形状、
前記Ｏ−リングをシールのために固定する前記シートの外側のフランジ、
を備えることを特徴とする請求項２に記載の縦型遮断弁を有する多目的手持ち噴霧器。
【請求項６】
前記頂部カバーは、
前記ステムアセンブリが通過するための中央の穴、
前記ステムアセンブリのシャフトに対するシール性を支援する前記Ｏ−リングを配置するための中空部、
前記ハウジングの本体に固定するためのネジを含む本体、および
前記本体において前記Ｏ−リングに加えられる圧力の調整を容易とする手段、
を備えることを特徴とする請求項２に記載の縦型遮断弁を有する多目的手持ち噴霧器。
【請求項７】
前記底部カバーは、
前記ハウジングの本体に固定するためのネジを含む本体、
前記圧縮ばねを誤配置を防止すべく配置するために中央に位置された凹部、
前記本体において固定を容易とする手段、
を備えることを特徴とする請求項２に記載の縦型遮断弁を有する多目的手持ち噴霧器。
【請求項８】
前記手段は、多角形および固定を容易とするための交差線を含む本体上の表面性を含む種々の形状を含むことを特徴とする請求項６または７に記載の縦型遮断弁を有する多目的手持ち噴霧器。
【請求項９】
前記縦型遮断弁の構成部品は、より長い使用のために耐腐食性材料から作られていることを特徴とする請求項２に記載の縦型遮断弁を有する多目的手持ち噴霧器。
【請求項１０】
前記ステムアセンブリの前記Ｏ−リングは、前記シートと係合するための露出された幅がずれを防止すべく前記Ｏ−リングの厚みより大きくないように、前記溝で囲まれていることを特徴とする請求項３に記載の縦型遮断弁を有する多目的手持ち噴霧器。
【請求項１１】
前記延長バーは、制限されたスペースに配置されるべく細く長い形状を有する本体を備えていることを特徴とする請求項１に記載の縦型遮断弁を有する多目的手持ち噴霧器。
【請求項１２】
前記噴霧先端具は、制限されたスペースに配置されるべく丸くされた端部を備える細い形状を有する本体を備えていることを特徴とする請求項１に記載の縦型遮断弁を有する多目的手持ち噴霧器。
【請求項１３】
前記Ｏ−リングは、良好なシール性と摩擦のために弾性材料から作られていることを特徴とする請求項１に記載の縦型遮断弁を有する多目的手持ち噴霧器。
【請求項１４】
前記迅速連結は、第１の部材の出口の第２の部材の入口への摺動による連結として定義されることを特徴とする請求項１に記載の縦型遮断弁を有する多目的手持ち噴霧器。
【発明の詳細な説明】
【技術分野】
【０００１】
本発明は流体を噴霧する装置、より詳細には、多目的用に流体を噴霧する際に用いられる、縦型遮断弁を有している手動操作可能な装置に関する。
【背景技術】
【０００２】
種々の制御弁を備えるいろいろな噴霧器が、流体を噴霧するために案出されている。手持ち噴霧器の多くは、一般に、ノズルを使用して細かい小滴で流体を噴霧するように用いられている。噴霧器の引き金は作動して、そして噴霧のために流体をノズルに追い込む。他の一つの装置では、流体を放出するために、加圧された容器が噴霧器に取り付けられる。これらのタイプの噴霧器は衛生的目的のために使うには、十分な流体を供給しない。
【発明の開示】
【発明が解決しようとする課題】
【０００３】
入浴用のシャワーを提供する噴霧装置があり、ここでは穴をあけられたノズルから流体の細かい流れが身体にスプレーされる。ノズルは、流体を噴霧するための小さい穴を含んでいるカバープレートを備える大きなヘッドを有している。装置のこの大きな寸法のヘッドは、それが狭いスペースを通され制限された領域内で用いられるときに、障害になる。噴霧装置は一般に、本体に遮断弁は備えられていない。これらの特徴は、即時の流体供給が必要であるときはいつでも、不便である。
【０００４】
頻繁な使用のための流体の供給に利用可能な多数の遮断弁システムがある。あるシステムは複雑な構成を包含し、製造業者が生産するのを妨げている。あるシステムは、入口供給源から配送される高圧に耐えるにはあまりにもデリケートである。他のシステムは、特定の目的のための構造を含み、結果として使用者が異なる目的のために利用するのを困難にしている。例えば、台所での皿の洗浄用噴霧器は、角度付けられた本体の近くに引き金ハンドルが配備された遮断弁を有している。この特徴は、ユーザーが遠隔調整する方法で遠隔領域に流体を供給する必要があるときには、都合が良くない。遮断弁が本体の角度付けられた部分に組み込まれている構造は噴霧器の寸法を大きくする。大きいタイプの噴霧器は、狭い開口を通して、制限されたスペースに置かれることに適さない。
【課題を解決するための手段】
【０００５】
本発明は、即時のアクセスのためにどのような領域にでも流体を配送する。それは、手持ちの噴霧器として近い領域に流体を配送する。それは、遠隔噴霧器として遠い領域に流体を配送する。噴霧器は制限されたスペースを通して遠隔の領域に置かれ得る。本発明の細く且つ長い本体は、この配置を可能とする。迅速連結構造における容易に分離可能な構成部品が使用の多様性をもたらし、そして、その長さは選択的な延長バーを介して調整される。噴霧パターンは、選ばれた噴霧先端具を通して慣らされる。流体は、延長バーから単一のストリームで噴出することで、あるいは噴霧先端具から多数のストリームで噴霧することで、供給され得る。単一のストリームの流体はスポット洗浄をする強力な圧力を有する。種々の噴霧パターンは、多目的の噴霧器のために融通性と便利さを加える。
【０００６】
本発明での縦型遮断弁はユーザーが噴霧器をいつでも使うことを可能にしている。弁の耐久的な構造は、入口流体源からの高い圧力に耐えるように設計されている。弁システムの形態は、高圧下での漏洩という普通にある問題を克服している。 単純な弁アセンブリがメンテナンスについてユーザーに利益を与えている。全ての構成部品は、低コスト化のためにプラスチックで、または耐久性を達成するために金属から作られてもよい。遮断弁の配列は、流体または産業上の他の全てのタイプの流体の即時アクセスを必要とする全ての装置に適用され得る。
【０００７】
多目的の手持ち噴霧器は、縦型遮断弁を含んでいるコントローラ、延長バー、および噴霧先端具を備えている。噴霧器の外側本体は、狭い開口を通しての制限されたスペースへの配置を容易にするために、長手方向の、そして細い形状をなしている。噴霧器の輪郭は、ほとんど手間をかけずに噴霧器をホルダに置けるように熟慮されている。コントローラは、加圧された流体源に連結するための入口連結器を有している。コントローラの出口は、噴出された流体の単一の固形ストリームを得る、延長バーへの迅速な連結のためにアダプターを有している。延長バーは、種々の噴霧パターンを得るために、噴霧先端具のアダプターへの迅速な連結のためにさらに利用される。連結領域における全てのアダプターは、複数の大きさの径を有し、そしてシールおよび摩擦のためにＯ−リングを必要とする。二つの構成部品を結合するための迅速連結構造は、多目的の使用のための迅速な組み立てと回動を可能にする。種々の延長バーと噴霧先端具とが個別の要求に適合すべく選択される。
【０００８】
コントローラにおける縦型遮断弁はハウジングおよび流体の流れを調整するための押しボタンを有する。ハウジングは、シートによって分割された上側チャンバおよび下側チャンバを備えている。入口が下側チャンバに位置され、加圧された流体を受け入れるコントローラの入口連結器に導いている。上側チャンバの出口は、下側チャンバから解放された流体を含み、コントローラの出口に向けられている。上側チャンバおよび下側チャンバは、弁機能のために手動で移動可能なステムアセンブリを包囲している。
【０００９】
ステムアセンブリは、圧縮ばねと加圧された入口流体から放たれる圧力によってシートに係合される。圧力はステムアセンブリをシートに対して閉鎖位置に押付ける。ステムアセンブリは、上側部材とファスナによって固定されたベースプレートとの間に置かれた弾性のＯ−リングから構成されている。Ｏ−リングは、上側部材およびベースプレートの周囲溝から露出される領域を有している。露出された領域の幅は、シートとの係合のためであって、そしてその場所に保つためにＯ−リングの厚みより小さくなければならない。該シートは上側チャンバおよび下側チャンバの間で、シールのための弾性Ｏ−リングを備えてハウジングに固定されている。下側チャンバは、Ｏ−リングを備えてハウジングに固定されている底部カバーを有する。底部カバーは、ステムアセンブリを付勢する圧縮ばねを置くためのスロット（溝）を有している。上側チャンバは、上に位置された開口に接続されたチャンネルを有している。該開口には、中央に穴を有する頂部カバーが螺着される。 頂部カバーはその下に位置されている弾性Ｏ−リングに圧力を加える。該圧力は、Ｏ−リングに対するステムアセンブリの最適条件のシールおよび摩擦を得るように調整される。
【００１０】
上側チャンバの上のチャネルと頂部カバーの穴は、ステムアセンブリの上側部材が押しボタンアセンブリに連結するために通過されるのを許容している。押しボタンは手動で押され、流体を放出するためにステムアセンブリを開ける。押しボタンの本体は、ロックナットで固定され、該ロックナットは仕上げプラグで覆われている開口内に位置されている。
【発明を実施するための最良の形態】
【００１１】
本発明への詳細な言及が今なされ、その実施例が添付の図面に示されている。そこで、１０と１０１のように、同じ最初の二つの桁を有している参照番号は関連するエレメントを指示している。１０１と１０１７のように、同じ最初の３つの桁を有している数字は、異なるエレメントを備える同じ構成部品を指示している。本発明の概略構成が構成部品の細部と機能によって以下に説明される。図１を参照するに、本発明の斜視図、縦型遮断弁を有する多目的の手持ち噴霧器、すなわち、「噴霧器」が組み立てられたものとして示され、そして番号１０で示されている。噴霧器１０は、縦型遮断弁２０を組み込んでいるコントローラ１０１、延長バー１０３および噴霧先端具１０５で構成されている。本体の外面は、制限されたスペースを通って遠隔領域に置く目的のために、細く、そして滑らかな形状をなしている。
【００１２】
図２での噴霧器１０は、互いに連結された構成部品の内部構造を示している。図３の分解組立図は、分離されている図１の個別の構成部品を示している。図２におけるコントローラ１０１の入口１０１５は、縦型遮断弁２０、すなわち「弁」を介して出口チャンネル１０１３に導いている。弁２０は入口１０１５から本体１０１７の出口チャンネル１０１３に流れる流体を制御する。コントローラ１０１の図２での出口チャンネル１０１３は、端部に図３の雌型出口１０１１２を有する。図３での雌型出口１０１３２は、延長バー１０３への連結のために、図２における二段の内径１０１１、１０１２を有している。雌型出口１０１３２は、迅速連結構造を用いて、延長バー１０３の雄型入口１０３５１に連結される。
【００１３】
延長バー１０３の雄型入口１０３５１は、図２に示されるように、コントローラ１０１の雌型出口１０１３２に連結されるべく、二段の直径１０３１、１０３２を有している。Ｏ−リング１０３３は、連結領域においてシール性および摩擦を提供するために、雄型アダプターの溝に置かれる。延長バー１０３の雄型出口１０３５２はまた、図３のように、噴霧先端具１０５に連結するために二段の外径１０３６、１０３７を有している。雄型出口１０３５２は、雄型入口１０３５がそうであるように、連結領域においてシール性および摩擦を提供するために、溝に置かれたＯ−リング１０３８を有している。雄型出口１０３５２は、同じ迅速連結構造を用いて、噴霧先端具１０５の雌型入口１０５６１にそれから連結される。噴霧先端具１０５の雌型入口１０５６１はまた、延長バー１０３の雄型出口１０３５２に連結するために、二段の直径１０５６、１０５７を有している。図２でのチャンバ１０５９は、延長バー１０３の出口の後流の噴霧先端具１０５の入口内に置かれている。このチャンバは、互いに整列されていない二つの連結チャンネルを緩衝する小さいリザーバである。噴霧先端具１０５は、空中に流体を噴霧するために、多数の小さい開口１０５２を有しているプラグ１０５１を含んでいる。プラグ１０５１は、シールするべく内部のベースにＯ−リング１０５８を備えて、噴霧先端具１０５の本体１０５３に固定される。
【００１４】
噴霧器１０の構成部品は、迅速連結構造を用いて連結される。迅速連結構造は、一つの雄型アダプターが滑動して他の雌型開口の中に置かれることを定義している。多段の雄型アダプターは、単段のアダプターよりも雌型開口に対して容易且つ良好な連結を支援する。何故ならば、より小さい直径を有している雄型のアダプターが迅速な連結のための道案内として用を果たすからである。迅速連結構造は、二つの構成部品の速くて容易な取り付けを提供する。迅速連結構造はまた、取り付けられている間での構成部品の回動能力を与え、種々の位置にそれらを調整する。種々の厚みの大きさを持っている多数の弾性Ｏ−リングが、リンケージをシールして、そして連結のための摩擦を調整するのを援助する。出口チャンネルでの低い圧力が、このタイプのそれほど締結応力を必要としない迅速連結構造を可能にしている。しかしながら、二つの構成部品の連結は、ねじ込み方法のような他のいかなる連結技術を用いてでも可能である。連結用の雄型出口および雌型入口は、雌型出口および雄型入口のような異性型を用いて変換できる。
【００１５】
図３のコントローラ１０１の斜視図は、コントローラ本体１０１７、加圧流体源に連結するための連結器１０１６を備える入口１０１５、解放流体のための出口１０１１２、ホルダに置くための曲線輪郭１０１３、およびコントローラ本体１０１７に組み込まれた縦型遮断弁２０を備えている。該弁２０は入口１０１５から出口１０１１２に流れる流体を調節する。図４に示されている隔離された弁２０は後でより詳細に説明される。
【００１６】
図３での延長バー１０３は、ホルダに置くための曲線輪郭１０３９を備える本体１０３４、雄型入口１０３２１、および雄型出口１０３７２からなる。雄型入口１０３２１および雄型出口１０３７２は、各端部に、一方がより小さい直径１０３２で他方がより大きい直径１０３１の二段アダプターを含んでいる。二段アダプターは、シールおよび迅速連結のために備え付けられるＯ−リング１０３３用の溝を有している。延長バー１０３の雄型入口１０３５１はコントローラ１０１の雌型出口１０１１２に連結され、弁２０から排出された流体を受け取る。延長バー１０３は、図５に示されるように、流体をその出口１０３７２に運び、端部で間断のないストリームを噴出する。間断のないストリームの圧力は、弁の制御を通して調整され得る。弁２０の全開でのその最大圧力は、スポット洗浄または量的供給のために利用され得る。延長バーは、個別の嗜好に合わせて種々の長さおよび形状を採る。細身で長い形状を備える本体は、遠隔の領域に届き、そして制限されたスペースに置かれ得る。
【００１７】
図３での延長バー１０３の雄型出口１０３７２は、図６に示されるように、空中での多数の流体ストリーム１０５２５のために、さらに噴霧先端具１０５の雌型入口１０５６１に連結される。噴霧先端具１０５は、小さな多数の開口１０５２を含んでいるプラグ１０５１を有する。噴霧先端具１０５からの噴霧ストリームの種々のパターンは、異なった大きさのいろいろな開口を有するプラグ１０５１を変えることによって達成され得る。噴霧先端具１０５の図３での本体１０５３は、種々の目的のために空中でのある程度の噴霧を達成するために、図６に示されるように、ある角度に斜めに湾曲されることができる。噴霧先端具１０５は、制限されたスペース中に置かれるように、細く且つなめらかな外面を形成する本体としてもよい。
【００１８】
縦型遮断弁２０は、図３でのコントローラ１０１の本体１０１７から隔離された状態で、図４に示されている。該弁２０は、手動操作のための押しボタンアセンブリ３０と流れを制御するためのハウジング４５を備えている。ハウジング４５の外面は、図４に示すように、頂部カバー４０、底部カバー９０、入口開口５２８、および出口開口５１９を含んでいる。弁２０の全ての構成部品は、本発明に従って作られる分解組立図として、図７に示されている。
【００１９】
図７での弁２０のハウジング４５は、上下方向に移動可能な弁機能のための内部構造を含み、縦型遮断弁を創生する図８のハウジング本体５０を有する。縦型遮断弁は、生産と消費のために利益をもたらすべく、弁構成を簡素化している。これは弁動作を容易にしている。というのも、弁制御の上下動が手動の押し移動と呼応されているからである。弁操作力を増すためにてこ作用を実行する引き金ハンドルを採用することができる。図８での本体５０は、中間においてネジ付きネック５５により分割された上側チャンバ５１および下側チャンバ５２の二つのチャンバを有している。上側チャンバ５１はネジ付きネック５５の頂部に位置され、図３のコントローラ１０１の出口１０１１２に連なる小さな出口開口５１９を含んでいる。上側チャンバ５１の上方の図８での大きな開口５１３は、図７の頂部カバー４０を置くためのネジ５１５を有している。図８の中空部５１７は、シールのための図７のＯ−リング４８を置くべく、開口５１３の底に位置されている。中空部５１７は、圧力が加えられたときＯ−リング４８が外方に向かって変形されるのを制限する。従って、Ｏ−リングは中心に向かって変形され、図７のステムアセンブリ７０の上側部材７１の周りをさらに良好にシールすることができる。図８のチャンネル５１１は、上側チャンバ５１と大きな開口５１３との間の連通のために置かれている。このチャンネルは、弁を制御すべくステムアセンブリ７０の図１０の上側部材７１を置くためのものである。図８の下側チャンバ５２は、ネジ付きネック５５の底側に位置されている。これは、コントローラの図３の入口１０５１に連なる入口開口５２８を含んでいる。ネジ５２５が、下側チャンバをシールすべく図７の底部カバー９０を置くために配置されている。
【００２０】
図７でのハウジング４５の本体５０は、独立の品目として別に構築されてもよい。そして、コントローラ１０１の本体１０１７に挿入され、図３に示されるように、統合されてもよい。しかしながら、図７でのハウジング４５の本体５０は、コントローラ１０１の本体１０１７に注入され、単一の構成物を構成してもよい。この注入型実施形態の構造は、コントローラ１０１の本体１０１７に直接に構築された内部縦型遮断弁システムを有する。このプラスチック製本体への単一形成は、製造コストを低減し、組立工程を単純化する。しかしながら、それは、プラスチック製本体に別体の金属製ハウジングを組み込むのよりも耐久性は低い。保護の範囲を逸脱することなく、異なる材料の混合，構造およびデザインを用いて種々の生産方式が可能である。
【００２１】
図７のシート６０は、中央に開口６０１を有し、そこにステムアセンブリ７０の上側部材７１と解放された流体が通過される。それは、図９に示されるように、シールすべくＯ−リング６８と共にハウジング５０に組み立てられる。図９のシート６０の開口６０１は整列された二つの異なった大きさの直径を有しており、一方は小さい直径６０４で他方は大きい直径６０５である。小さい開口６０４は、道具を使っての組立および分解を容易にするために多角形の形状を採っている。図９の大きい開口６０５は上側部材７１における図１０のフランジ７１６を置くべく円形状を採る。シート６０の外面は、図９に示されるようなネジ６０７の如き、ハウジング５０への締結手段を有している。図９の外側フランジ６０３は、Ｏ−リングの６８に圧力を加えシールすべくネジ６０７の隣に位置されている。シート６０の図９におけるリップ６０２は、開口６０１を通って流れる流体を制御するために、ステムアセンブリ７０の図１１におけるＯ−リング７８との容易な係合のための丸味を帯びた表面を採っている。シート６０の図９での開口６０１は、下側チャンバ５２から上側チャンバ５１に放出されるべき入口５２８での加圧流体のため、および通過されるべきステムアセンブリ７０の上側部材７１のためのチャンネルである。
【００２２】
図７のステムアセンブリ７０は、上側部材７１、Ｏ−リング７８、ベースプレート８０、および固定用ファスナ８９から構成されている。これらの全ての構成部品一緒に組立てられ、図１０に示されるように、一つの特有な小片として働く。ステムアセンブリ７０の図１０での上側の小片７１は、フランジ７１６、シャンク７１５、肩部７１３およびネジ７１２を備えている。フランジ７１６は、図１１Ａの溝７１９内にＯ−リングの７８を正しく保持すべく支持している。このフランジ７１６は、図９でのシート６０の大きい開口６０５内でのステムアセンブリ７０の動きをさらに、案内し、且つ安定させている。その丸い形状は、ステムアセンブリ７０がどのような方向ででもシート６０の大きい開口６０５の中に置かれることを可能にしている。図１０でのシャンク７１５は、図４に示されるように、弁ハウジング４５の外部にその長さが延在している。その滑らかな、そして丸い表面が図９でのＯ−リング４８との接点領域での良好なシールに貢献している。図１０での肩部７１３は、図７での押しボタン３０を置くためのものである。図１０でのネジ７１２は、押しボタン３０をロックするために図７のナット３０４のためのものである。図７でのＯ−リング７８は、図１０でフランジ７１６の下に位置され、図９のシート６０に係合されたとき、流体の流れを止める。その厚みにおける丸い形状が、図９でのリップの丸い形状と共に良好なシールをすることができる。図７でのベースプレート８０は、Ｏ−リング７８を正しく保持するために、図１０でフランジ７１６の下に位置されている。ベースプレート８０の図１１の溝８０２は、Ｏ−リング７８をさらに良好に固定するために形成されている。ベースプレート８０の図１１における膨出エレメント８０５は、図７での圧縮ばね９６を正しく保持するためのものである。図１１のベースプレート８０は、入口流体源からの圧力を吸収するために、大きい面領域８０３を有している。面領域８０３は、操作力を調整するために調節可能である。吸収された圧力は、圧縮ばねの力に追加するべく解放され、遮断弁を閉位置に付勢する。
【００２３】
図７でのＯ−リング７８は、加圧された入口流体と圧縮ばね９６からの圧力の故に変形またはずれたりし、その性能を低下する。この問題を緩和するために、図１１Ａでのフランジ７１６の溝７１９およびベースプレート８０３の本体の溝８０２が実現され、これらの包囲形状がＯ−リング７８を取り囲むように丸くされている。溝７１９、８０２の丸くされた形状により、Ｏ−リング７８への最大の支持面積を与えることができる。従って、圧力はこの最大の支持面積に亘り分配され、Ｏ−リング７８の変形を最小にしている。その他にも、図１１ＡにおけるＯ−リング７８の露出された幅Ｗは、その変形を防止するために厚みＤよりも小さくあるべきである。図１１Ａに示されるように、露出幅をＷ、厚さをＤとするとき、ステムアセンブリの７０を適切に機能させるようＯ−リング７８を正しく保持するためには、ＷおよびＤの間の関係は次のように定式化される：
Ｗ  ＜  Ｄ
【００２４】
Ｏ−リング７８の露出幅Ｗと厚みＤとの間の差は、図１１Ａでの溝７１９、８０２に置かれたＯ−リング７８の安定性を決定する。しかしながら、その差の絶対値の意味はそれほど意味を持たない。何故なら、それは、Ｏ−リング７８の小さな厚みから大きな厚みで異なるからである。それ故に、差比率が、Ｏ−リング７８の厚みに基づいた相対値として、より有意義であり、次式のように定式化される：
相対的な差比率＝（Ｄ−Ｗ）／Ｄ
【００２５】
差比率が大きければ大きい程、Ｏ−リング７８は変位なくその位置でより安定である。しかしながら、最適な差比率に悪影響を与える若干の因子がさらにある。因子の一つは、露出幅Ｗがシート６０との適切な係合のために最小接触面領域を必要とするということである。もう一つの因子は、Ｏ−リング７８が作られる材料である。Ｏ−リング７８が作られる材料が柔らかければ柔らかい程、Ｏ−リング７８の変位を妨げるために、より大きな差比率でなければならない。
【００２６】
図７の圧縮ばね９６は、図９に示されるように、底部カバー９０のスロット内に位置されている。その圧縮圧力は入口流体圧に加えてステムアセンブリ７０を閉位置に付勢する。それは、常に浸漬状態にあるので、耐腐食性材料から作られるか、あるいは弾性ゴムによって包まれているべきである。図７の底部カバー９０は、図８の下側チャンバ５２を確保するため、および、図９に示されるように、圧縮ばね９６を支持するために置かれている。図９の底部カバーのスロット９０４は、圧縮ばね９６のずれを防止するために置かれている。図７でのＯ−リング９８は、図９に示されるように、ハウジング本体５０と底部カバー９０との連結領域を通っての下側チャンバ５２からの漏れをシールするために置かれている。
【００２７】
図７でのハウジング４５の上方の頂部カバー４０は、開口４０１を通しての移動のためにステムアセンブリ７０を支持している。図９の頂部カバー４０は、図８のハウジング本体の雌ネジ５１５に組み立てられる雄ネジ４０５を有している。頂部カバー４０はまた、図９に示されるように、Ｏ−リング４８を置くために下側に溝４３を有している。Ｏ−リング４８は、図１０のステムアセンブリ７０のシャフト７１５と図９の頂部カバー４０の開口４０１との間のギャップをシールする。Ｏ−リング４８はまた、図９に示されるように、その周囲のネジ領域をも同様にシールする。頂部カバー４０が、圧力によってＯ−リング４８を変形させるべく締め付けられると、図９の頂部カバー４０の中空部４３は図８の本体５０の中空部５１７と共に、Ｏ−リング４８の外方に向かっての変形を拘束する。それ故に、これらの中空部５１７、４３はその中のシャフト７１５に向けてより圧力を与えるべく支持しており、周りをより良くシールする。Ｏ−リング４８に加えられる圧力は、図９の頂部カバー４０の締結動作で調整可能であるべきである。圧力の最適量は、図１０のステムアセンブリ７０の適切な動きを保証し、頂部カバー４０のネジ４０５と共にシャフト７１５の周りの耐漏洩性を保証する。もしも、圧力量があまりにも高いなら、高い圧力はシャフト７１５周りの良好なシールには貢献するが、操作のためのステムアセンブリ７０の困難な動きの原因となる。もしも、圧力量があまりにも低いなら、低い圧力はステムアセンブリ７０の柔らかな動きを与えるが、シャフト７１５の周りの低いシール性の原因となる。
【００２８】
図７での押しボタンアセンブリ３０は、本体３０２、ロックナット３０４および仕上げプラグ３０６を備えている。図７での本体３０２は、ステムアセンブリ７０の図１１での肩部７１３を配置するための図１２での穴３０８を有している。本体３０２は、ステムアセンブリ７０の図１１の雄ネジ７１２にロックナット３０４を置くべく、図１２での大きな開口３０７を有している。図１２でのロックナット３０４は、手動操作のために押しボタンアセンブリ３０の本体３０２にステムアセンブリ７０を結合する。押しボタンアセンブリ３０の本体３０２は、スタイルと性能のためにはどのような形状および色をも取り得る。しかしながら、本体３０２の圧力をかけられる領域は、ユーザーによるステムアセンブリの快適な操作を提供するのに十分な大きさであるべきである。開口３０７における図１２での溝３０９は、ロックナット３０４と開口３０７を遮蔽する仕上げプラグ３０６を固定するためのものである。ロックナット３０４は、ステムアセンブリ７０の回転運動からそれが緩むのに抵抗すべく、好ましくは、ナイロンが挿入されたロックナットである。仕上げプラグ３０６は、そのレッグ３０６１が本体３０２の溝３０９内に固定されるように、開口３０７にスナップ嵌めされる。この仕上げプラグ３０６は、同じ目的を得るために螺着されてもよい。起動圧力が加えられる仕上げプラグ３０６は、弁を操作するときに構造と材料が耐えるべきである強度を必要とする。
【００２９】
図１２での押しボタンアセンブリ３０にユーザーが何等の圧力をも加えないとき、ステムアセンブリ７０のＯ‐リング７８はシート６０のリップ６０２に係合し、上側チャンバ５１と下側チャンバ５２との間は連通していないことを示している。底部カバー９０上のばね９６と下側チャンバ５２の加圧流体５２８２は、図１２に示されるように、出口５１９に向かう入口流れ５２８１を妨げるためにステムアセンブリ７０をシート６０のリップ６０２に対して付勢している。しかしながら、ユーザーが押しボタンアセンブリ３０に図１３の圧力Ｐをかけると、ステムアセンブリ７０が下げられ、シート６０のリップ６０２とステムアセンブリ７０のＯ−リング７８との間に流路５２９を形成する。流路５２９は、下側チャンバ５２の加圧された入口流体５２８１がシート６０の開口６０１を通って上側チャンバ５１へ流れるのを許容し、図１３に示されるように、出口５１９を介して流体５１９１を解放する。解放された流体５１９１は低い圧力を含み、それは、ユーザーが二つの構成部品の連結のための迅速連結を行なうことを可能にしている。
【図面の簡単な説明】
【００３０】
【図１】縦型遮断弁を有する多目的手持ち噴霧器を示す本発明の斜視図である。
【図２】図１の１−１線における断面図であり、入口から出口までの内部流路を示す。
【図３】コントローラ、延長バーおよび噴霧先端具の３つの構成部品が分解されている、図１の分解組立図であり、迅速連結のための連結エレメントを示す。
【図４】図３のコントローラから隔離された縦型遮断弁の斜視図であり、外側エレメントの輪郭を示す。
【図５】コントローラが延長バーに連結され、噴出された単一の固体ストリームを有している噴霧器の斜視図である。
【図６】図５のコントローラがさらに角度付けられた噴霧先端具に連結され、流体の多数のストリームを有する噴霧器の斜視図である。
【図７】本発明に従い作成された図４の縦型遮断弁の分解組立図である。
【図８】図７の７−７線における縦型遮断弁のハウジング本体の組立てられた内部の構成部品を除いた断面図である。
【図９】図８の組み立てられた内部の構成部品を備える断面図である。
【図１０】ステムアセンブリの斜視図であり、Ｏ−リングが上側部材とファスナにより固定されたベースプレートとの間に置かれている。
【図１１】図１０の１０−１０線におけるステムアセンブリの断面図であり、組み立てられた構成部品の内部構造を示している。
【図１１Ａ】図１１の断片的な拡大図であり、Ｏ−リングの詳細を示している。ここで、Ｏ−リングは上側部材およびベースプレートの溝内に大半が包囲され、シートとの係合のために部分的に露出されている。
【図１２】図４の４−４線における縦型遮断弁の断面図であり、押しボタンが自由状態で、閉位置にある弁を示している。
【図１３】図４の４−４線における縦型遮断弁の断面図であり、押しボタンが外力Ｐで押された状態で、開位置にある弁を示している。
【図１】
2007513758.tif 000003
【図２】
2007513758.tif 000004
【図３】
2007513758.tif 000005
【図４】
2007513758.tif 000006
【図５】
2007513758.tif 000007
【図６】
2007513758.tif 000008
【図７】
2007513758.tif 000009
【図８】
2007513758.tif 000010
【図９】
2007513758.tif 000011
【図１０】
2007513758.tif 000012
【図１１】
2007513758.tif 000013
【図１１Ａ】
2007513758.tif 000014
【図１２】
2007513758.tif 000015
【図１３】
2007513758.tif 000016
【国際調査報告】
2007513758.tif 000017